(57)【要約】      （修正有）【課題】テープ状部材を形成する基材片の延伸後の弾性的伸縮性を利用して瞼にくびれ部を形成することにより、該瞼に擬似的な整形を施すための化粧用瞼整形テープにおいて、瞼の目頭側や目尻側の端部における接着性を改善する。【解決手段】二重瞼形成用テープは、基材片３の両面に粘着剤層４，４が積層されて成るテープ状部材２と、上記粘着剤層に貼着された一対の剥離シート片５とから構成されており、該剥離シート片５は、長手方向への引張りにより容易に破断させることができる溝状の易破断部６，７を有している。該易破断部は、溝底６１，７１から剥離シート片の外表面に向けて溝幅が徐々に拡開するように形成されており、上記テープ１における軸方向中央Ｏよりも第１端及び第２端に形成された第１易破断部６と、該第１易破断部よりも深い中央Ｏの第２易破断部７とから構成されている。【選択図】図５
2018027187.tif 000002
【特許請求の範囲】
【請求項１】
塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、
該化粧用瞼成形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、
上記一対の剥離シート片は、少なくとも長手方向における中央よりも上記第１端側及び／又は第２端側に、長手方向への引張りにより破断する易破断部をそれぞれ有しており、
上記易破断部は、上記剥離シート片の外表面から厚さ方向の中間までの深さを有して短手の幅方向に延設された溝状を成している、
ことを特徴とするもの。
【請求項２】
請求項１に記載の化粧用瞼整形テープであって、
上記易破断部が、その溝底から上記剥離シート片の外表面に向けて溝幅が徐々に拡開する溝状を成しているもの。
【請求項３】
請求項２に記載の化粧用瞼整形テープであって、
上記易破断部の溝底が平坦面を成しているもの。
【請求項４】
請求項２の何れかに記載の化粧用瞼整形テープであって、
複数の上記易破断部が、上記剥離シート片の長手方向に沿って一定のピッチで形成されているもの。  
【請求項５】
請求項４に記載の化粧用瞼整形テープであって、
互いに隣接する上記易破断部の溝底同士が、該溝底から立ち上がった同じ高さの円弧面によって接続されているもの。
【請求項６】
請求項１に記載の化粧用瞼整形テープであって、
上記剥離シート片が、その長手方向における中央よりも第１端側及び第２端側の双方に、同数の上記易破断部を有しているもの。
【請求項７】
請求項６に記載の化粧用瞼整形テープであって、
上記剥離シート片が、その長手方向の中央に関して上記第１端側及び第２端側の対称位置に、上記易破断部を有しているもの。
【請求項８】
請求項１に記載の化粧用瞼整形テープであって、
上記易破断部が第１易破断部を成しており、さらに、上記一対の剥離シート片は、その長手方向における中央に、同じく長手方向への引張りにより破断する第２易破断部をそれぞれ有しており、
上記第２易破断部は、上記剥離シート片の外表面から厚さ方向の中間までの深さを有して短手の幅方向に延設された溝状を成しているもの。
【請求項９】
請求項８に記載の化粧用瞼整形テープであって、
上記第２易破断部が、その溝底から上記剥離シート片の外表面に向けて溝幅が徐々に拡開する溝状を成しており、その深さが上記第１易破断部よりも大きく形成されているもの。
【請求項１０】
請求項９に記載の化粧用瞼整形テープであって、
上記第２易破断部の溝底が鋭角を成しているもの。
【請求項１１】
請求項８−１０の何れかに記載の化粧用瞼整形テープであって、
上記一対の剥離シート片には、それらの長手方向における第２易破断部よりも第１端側及び第２端側の双方に、複数の上記第１易破断部が、上記剥離シート片の長手方向に沿って一定のピッチでそれぞれ形成されていて、
上記剥離シート片の長手方向における上記第２易破断部と隣接する部分の外表面には、上記第１易破断部が形成されていない平坦部が形成されているもの。
【発明の詳細な説明】
【技術分野】
【０００１】
本発明は、テープ状部材を構成する基材片を塑性領域にまで延伸可能でその延伸後にも弾性的伸縮性を有する合成樹脂によって形成し、該テープ状部材を伸長して上記基材片を延伸させた時における該基材片の弾性的伸縮性を利用して、上瞼に疑似的な二重瞼の襞を形成したりするなど、瞼に擬似的な整形を施すための化粧用瞼整形テープに関するものである。
【０００２】
外科的な手術を伴うことなく、上瞼に擬似的な二重瞼を形成する二重瞼形成用化粧品としては、従来から、溶液を上瞼の皮膚上に塗布する溶液タイプ（特許文献１〜３）と粘着テープを上瞼の皮膚上に貼付するテープタイプ（特許文献４〜８）とが知られていた。
そして、これら溶液タイプ及びテープタイプのものは、二重瞼が形成される方式により、主として、両面粘着テープや接着剤等で上瞼の皮膚同士を折り畳んだ状態で接着させることにより二重瞼の襞を形成する方式（接着方式）と、溶液を上瞼の皮膚上に塗布して乾燥させたり、粘着テープを上瞼の皮膚上に貼付けたり等することにより、上瞼の皮膚上に硬質な被膜を形成し、上瞼を開いた際に、その被膜の上縁で上瞼の皮膚が折り返されて二重瞼の襞が形成される方式（シャッター方式）とに分類することができる。
しかしながら、これら従来の二重瞼形成用化粧品は、溶液又はテープによる接着や被膜を利用して無理に二重瞼の襞を形成するものであるため、形成される二重瞼が不自然になりがちであったり、特に上瞼を閉じた際に使用しているのが目立ち易かったり、使用者が引きつり感などの違和感を覚え易い等の問題点があった。
【０００３】
かかる問題点を解決するために、上記従来のものとは全く異なる機序によって二重瞼を形成する二重瞼形成用テープ（特許文献９）が提案された。この二重瞼形成用テープは、延伸可能でその延伸後にも弾性的伸縮性を有する基材片に粘着剤を塗着して成るテープ状部材により構成されている。すなわち、該二重瞼形成用テープは、そのテープ状部材を構成する上記基材片の延伸後の弾性的収縮性を利用して、そのテープ状部材に沿った凹溝状のくびれ部を上瞼に形成するもので、その結果、上瞼を開いた際に、該くびれ部で自然に上瞼の皮膚が折り返されて二重瞼の襞が形成されるようになっている。そして、現在、当該テープは、一重瞼を二重瞼にするばかりでなく、二重瞼の襞の位置や形状や上下方向の幅を変えたり、下瞼に膨らみ（所謂、涙袋）を形成したり等、瞼に様々なアイメイク（すなわち、擬似的な整形）を施すために使用されている。
【先行技術文献】
【特許文献】
【０００４】
【特許文献１】特開２００７−１０６７１１号公報
【特許文献２】実用新案登録第３１１１５１１号公報
【特許文献３】特開平０２−１８８５１２号公報
【特許文献４】実用新案登録第３１５４１３９号公報
【特許文献５】特開平１０−３０４９３５号公報
【特許文献６】特開２００５−３３４１０８号公報
【特許文献７】特開２００７−１１１２１８号公報
【特許文献８】特開２００９−１９５４１０号公報
【特許文献９】特許第３２７７１８０号公報
【発明の概要】
【発明が解決しようとする課題】
【０００５】
このような、テープ状部材を構成する基材片の延伸後の弾性的収縮性を利用して瞼にくびれ部を形成することにより、瞼に擬似的な整形を施すための化粧用瞼整形テープにおいては、使用の際に、テープ状部材を伸長させて引張ったままの状態で、瞼に押当てて貼付ける必要性がある。ところが、瞼の皮膚は、眼球や眼球周りの骨格等に沿って湾曲した複雑な曲面で形成されていることなどから、上記押当てての貼付け操作により、上記テープ状部材における瞼に貼付けた部分の長手方向全体に亘って十分な接着性を確保することは必ずしも容易ではない。
そのため、使用者によっては、上記テープ状部材における瞼に貼付けた部分のうち、特に目頭側や目尻側の端部において、剥がれてしまい易くなることがあった。
【０００６】
そこで、本発明の技術的課題は、塑性領域にまで延伸可能でその延伸後にも弾性的伸縮性を有する合成樹脂から成る基材片と、該基材片に積層された粘着剤層とを有するテープ状部材を備えていて、該テープ状部材を伸長して上記基材片を延伸させた時における該基材片の弾性的収縮性を利用して瞼にくびれ部を形成することにより、該瞼に擬似的な整形を施すための化粧用瞼整形テープにおいて、瞼の目頭側や目尻側の端部における上記テープ状部材の皮膚に対する接着性を改善したものを提供することにある。
【課題を解決するための手段】
【０００７】
上記課題を解決するため、本発明は、塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、該化粧用瞼成形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、上記一対の剥離シート片は、少なくとも長手方向における中央よりも上記第１端側及び／又は第２端側に、長手方向への引張りにより破断する易破断部をそれぞれ有しており、上記易破断部は、上記剥離シート片の外表面から厚さ方向の中間までの深さを有して短手の幅方向に延設された溝状を成していることを特徴としている。
【０００８】
このような本発明に係る化粧用瞼整形テープにおいては、上記一対の剥離シート片の易破断部を長手方向への引張りにより破断させた上で、テープ状部材を長手方向に引張って伸長させていくと、それに伴って上記基材片が塑性領域へと延伸されていく。そのとき、上記基材片は均一幅を有しているため、通常、破断させた易破断部の位置近傍から長手方向に順次延伸が伝搬していき、その延伸の進行に伴って上記接着剤層も徐々に薄くなっていくが、破断させた易破断部からの距離が大きいほど延伸の伝搬及び進行が遅くなる。その結果、延伸率がより小さい部分において粘着剤層がより厚く残った状態となり、瞼の皮膚へのより優れた接着性を確保することができる。
【０００９】
したがって、上記化粧用瞼成形テープを瞼に適用するにあたって、例えば目尻側又は目頭側等においてテープ状部材の接着性を改善させたい場合には、破断させる易破断部からテープ状部材の端までの長さが長い方を接着性を改善したい方にして、該易破断部で剥離シート片を破断させると共に、テープ状部材を所定の長さに伸長させて基材片を塑性領域へと延伸させる。そして、該テープ状部材を所定の長さに伸長させたままの状態（すなわち、テープ状部材を引張ってピンと張ったままの状態）で、それを瞼におけるくびれ部を形成したい部分（ライン）に押し当てて粘着剤層で貼り付け、該テープ状部材から引張り力と瞼への押付け力を除荷すると、上記基材片の延伸後の弾性的収縮力が瞼に作用して該テープ状部材（すなわち基材片）が瞼にくい込んだ状態となり該瞼にくびれ部が形成される。その結果、この瞼のくびれ部を利用して上瞼に二重瞼のひだを形成したり、下瞼に膨らみ（所謂、涙袋）を形成したり等、瞼に化粧的な整形を施すことができる。そのとき、テープ状部材における破断させた易破断部から端までの長さが長い方においては、基材片の延伸率がより小さくて粘着剤層がより厚い部分を残すことができるため、瞼の皮膚への接着性を改善することが可能となる。
【００１０】
上記化粧用瞼整形テープにおいて、好ましくは、上記易破断部が、その溝底から上記剥離シート片の外表面に向けて溝幅が徐々に拡開する溝状を成している。このとき、上記易破断部の溝底が平坦面を成していてもよい。また、複数の上記易破断部が、上記剥離シート片の長手方向に沿って一定のピッチで形成されているものであると、剥離シート片における易破断部の破断位置を調節して、テープ状部材を所定長さに伸長させた際における瞼の皮膚への接着性を好みに応じて調節することができる。さらに、互いに隣接する上記易破断部の溝底同士が、該溝底から立ち上がった同じ高さの円弧面によって接続されていてもよい。
【００１１】
また、本発明に係る化粧用瞼整形テープにおいては、上記剥離シート片が、その長手方向における中央よりも第１端側及び第２端側の双方に、同数の上記易破断部を有していてもよく、そのとき、上記剥離シート片が、その長手方向の中央に関して上記第１端側及び第２端側の対称位置に、上記易破断部を有していてもよい。
【００１２】
さらに、本発明に係る化粧用瞼整形テープにおいて、好ましくは、上記易破断部が第１易破断部を成しており、さらに、上記一対の剥離シート片は、その長手方向における中央に、同じく長手方向への引張りにより破断する第２易破断部をそれぞれ有しており、上記第２易破断部は、上記剥離シート片の外表面から厚さ方向の中間までの深さを有して短手の幅方向に延設された溝状を成している。そうすることで、好みに応じて、従来のように、テープ状部材の第１端側及び第２端側に対して均等に基材片を延伸させて使用することも可能となる。このとき、より好ましくは、上記第２易破断部が、その溝底から上記剥離シート片の外表面に向けて溝幅が徐々に拡開する溝状を成しており、その深さが上記第１易破断部よりも大きく形成されている。そうすることで、上記第２易破断部にて剥離シート片を破断させたい場合に、該易破断部でより確実に剥離シート片を破断させることが可能となる。なお、その際、上記第２易破断部の溝底が鋭角を成していと、さらに好ましい。また、好ましくは、上記一対の剥離シート片には、それらの長手方向における第２易破断部よりも第１端側及び第２端側の双方に、複数の上記第１易破断部が、上記剥離シート片の長手方向に沿って一定のピッチでそれぞれ形成されていて、上記剥離シート片の長手方向における上記第２易破断部と隣接する部分の外表面には、上記第１易破断部が形成されていない平坦部が形成されている。そうすることで、上記第２易破断部を第１易破断部と容易に見分けることが可能となる。
【発明の効果】
【００１３】
以上のように、本発明によれば、塑性領域にまで延伸可能でその延伸後にも弾性的伸縮性を有する合成樹脂から成る基材片と、該基材片に積層された粘着剤層とを有するテープ状部材を備えていて、該テープ状部材を伸長して上記基材片を延伸させた時における該基材片の弾性的収縮性を利用して瞼にくびれ部を形成することにより、該瞼に擬似的な整形を施すための化粧用瞼整形テープにおいて、瞼の目頭側や目尻側の端部における上記テープ状部材の皮膚に対する接着性を改善したものを提供することが可能となる。
【図面の簡単な説明】
【００１４】
【図１】本発明に係る化粧用瞼整形テープの一実施形態としての二重瞼形成用テープを示す正面図である。
【図２】図１のテープの平面図である。
【図３】図１のテープのＡ−Ａ断面図である。
【図４】図１のテープの分解斜視図である。
【図５】図１のテープの中央部分Ｂの拡大図である。
【図６】図１のテープの基材片を形成する「塑性領域にまで延伸可能でその延伸後にも弾性的伸縮性を有する合成樹脂」の一般的な引張り特性を示す概略的な「引張り応力−歪曲線」である。
【図７】図１の二重瞼形成用テープの使用方法を示す概略図１である。
【図８】同概略図２である。
【図９】同概略図３である。
【図１０】同概略図４である。
【図１１】同概略図５である。
【図１２】同概略図６である。
【図１３】同概略図７である。
【図１４】同概略図８である。
【図１５】同概略図９である。
【図１６】本発明に係る化粧用瞼整形テープの他の使用方法を示す概略図である。
【図１７】本発明に係る化粧用瞼整形テープの製造過程を示す概略図１である。
【図１８】同概略図２である。
【図１９】同概略図３である。
【図２０】同概略図４である。
【図２１】本発明に係る化粧用瞼整形テープの他の実施形態を示す正面図である。
【発明を実施するための形態】
【００１５】
以下に、本発明に係る化粧用瞼整形テープの一実施形態について、図面を用いて詳細に説明する。なお、以下においては、化粧用瞼整形テープのうち、主として二重瞼形成用テープを例に挙げて説明する。
【００１６】
図１〜図５に示すように、本発明に係る化粧用瞼整形テープとしての二重瞼形成用テープ１は、塑性領域にまで延伸可能でその延伸後にも弾性的伸縮性を有する合成樹脂により形成された細長いフィルム状の基材片３と、該基材片３の両面全体に粘着剤を塗着することにより積層された上瞼に貼着するための粘着剤層４，４とから成るテープ状部材２を有している。そして、該テープ状部材２を上記基材片３が延伸するまで長手の軸ｌ方向に伸長させた時における該基材片３の延伸後の弾性的収縮性を利用することにより、上瞼に二重瞼のひだを形成するものである。
ここで、上記テープ状部材２、すなわちそれを形成する基材片３は、上記長手の軸ｌ方向に直線状を成していて、軸ｌ方向の長さＬと、該軸ｌ方向全域に亘って均一な幅Ｗとを有しており、したがって、平面視において長さＬ及び幅Ｗを有する細長い長方形に形成されている。
【００１７】
上記基材片３を形成する合成樹脂としては、指先にて容易に伸長して塑性領域に移行（延伸）させることが可能で、その延伸後においても弾性的伸縮性を有する合成樹脂が用いられ、これは、一般的に、合成樹脂の中でも、図６の「引張り応力−歪曲線」を示すような、やわらかくて粘り強い引張り特性（機械的特性）を有する合成樹脂として分類されるものである。このような分類に属する合成樹脂としては、例えばポリオレフィン樹脂や塩化ビニル樹脂等が挙げられるが、より好ましくはポリエチレンであり、その中でも特に低密度ポリエチレンが最も好適に用いられる。さらに、該基材片３は、フィルム製造時における軸延伸が特にその長手方向に対して無延伸又は極めて低延伸倍率である上記合成樹脂によって形成されていことが望ましい。
【００１８】
なお、図６のグラフは、上記合成樹脂に引張り力を作用させて延伸させ、該材料が破断する前に上記引張り力を除荷したときにおける、引張り応力と歪との関係を示している。そして、図６中、引張り力を除荷した後のｓで示す曲線部分が、該合成樹脂が本発明における延伸後の弾性的伸縮性、すなわち、瞼の皮膚に対して作用する弾性的収縮性を呈する部分である。また、図６に示すような引張り特性を有する合成樹脂においては、塑性領域に延伸させたときにネッキングを生じ、このネッキングが延伸の進行に伴って引張り方向に徐々に伝搬していくのが一般的である。
【００１９】
上記基材片３の各種寸法については、該基材片３が低密度ポリエチレンで形成されている場合、長さＬは、実際の使用における操作性や携帯性等を考慮して決定すべきであるが、２５〜４０ｍｍ程度であることが好ましい。また、該基材片３の幅Ｗ及び厚さｔ１は、延伸後に瞼に貼着したときの幅や厚さ及び瞼に装着した時の使用感等を考慮して決定すべきであるが、Ｗは１．０〜５．０ｍｍ程度、ｔ１は４０〜８０μｍ程度であることが好ましい。
ただし、基材片３の各種寸法はこれらの範囲に限定されるものではなく、基材片３の材質、並びに、操作性、使用感及び形成した二重瞼の見栄えなどといった感覚的な評価等を考慮して、適宜決定することができる。
【００２０】
また、上記粘着剤層４，４を形成する粘着剤としては、皮膚用のアクリル系粘着剤が好適に用いられるが、それに限定されるものではなく、皮膚に用いることができるものであればよい。このとき、瞼の皮膚への接着性等を考慮すると、粘着剤層４，４の厚さｔ２は４０〜６０μｍ程度であることが好ましいが、特にこの範囲に限定されるものではなく、粘着剤の性質に応じて適宜決定することができる。また、テープ状部材２の両面の粘着剤層４，４は、互いに異なる粘着剤によって形成されていてもよく、厚さｔ２も互いに異なっていてもよい。
【００２１】
ところで、上記二重瞼形成用テープ１は、さらに、上記粘着剤層４に対して易剥離性を有する合成樹脂から成り、上記粘着剤層４，４の表面（瞼への貼着面）に貼着された一対の剥離シート片５，５を有している。そして、これら剥離シート片５，５は、平面視において上記テープ状部材２すなわち基材片３と同形状かつ同寸法に形成され、上記テープ状部材２における粘着剤層４，４の表面（貼着面）全体を覆っており、また、長手方向への引張りにより容易に破断させることができる易破断部６，７をそれぞれ有している。
【００２２】
ここで、上記易破断部６，７は、上記テープ１における軸ｌ方向中央Ｏよりも軸ｌ方向両端の第１端１ａ側及び第２端１ｂ側に偏倚した位置にそれぞれ形成された第１易破断部６と、該中央Ｏに形成された第２易破断部７とから構成されている。そして、それら易破断部６，７は何れも、上記剥離シート片５における上記粘着剤層４に貼着された内表面とは逆を向いた外表面に開口して、該剥離シート片５の厚さｔ３の中間までの深さｄ１，ｄ２を有すると共に、該剥離シート片５の幅方向全体に亘って延設された溝状を成している。このとき、それら易破断部６，７の深さｄ１，ｄ２は、互いに異なっていて、剥離シート片５の厚さｔ３の半分よりも深く形成されている。また、これら第１及び第２易破断部６，７は何れも、一対の剥離シート片５，５の軸ｌ方向における同位置に、それぞれ対を成すように互いに対向させて設けられてる。なお、上記剥離シート片５の内表面は滑らかで鏡面状の平坦面に形成されており、それに対して、その外表面は粗面に形成されている。
【００２３】
より具体的に説明すると、上記第１易破断部６は、その溝底６１から上記剥離シート片５の外表面に向けて溝幅が徐々に拡開するように形成されており、該溝底６１は上記内表面と平行を成す平坦面に形成されている。そして、同じ形状とサイズを有する複数の上記第１易破断部６が、上記剥離シート片５の第１端１ａ側及び第２端１ｂ側のそれぞれにおいて、中央Ｏに関して対称を成す位置にそれぞれ形成されると共に、軸ｌ方向に沿って一定のピッチ（間隔）ｐで並設されている。このとき、互いに隣接する第１易破断部６の溝底６１同士は、該溝底６１から立ち上がった高さｄ１の凸の円弧面６２，６２・・・によって接続されている。したがって、該第１易破断部６の互いに対向する側壁は、溝内側に凸を成した上記円弧面６２，６２によって形成されている。
【００２４】
一方、上記第２易破断部７も、その溝底７１から上記剥離シート片５の外表面に向けて溝幅が徐々に拡開するように形成されており、上述のように、一対の剥離シート片５，５の軸ｌ方向における中央Ｏに、互いに対向させて設けられている。また、該第２易破断部７は、その溝底７１が大凡鋭角に形成されており、上記第１易破断部６の深さｄ１よりも大きい深さｄ２を有している。そして、該第２易破断部７の互いに対向する側壁も、溝内側に凸を成した円弧面７２によって形成されている。該第２易破断部７とその両側で隣接する上記第１易破断部６，６との間には、該第１破断部６のピッチｐと同程度の軸ｌ方向長さを有していて、上記第１易破断部６の溝底６１と平行を成す平坦部８がそれぞれ設けられており、該平坦部８の軸ｌ方向の両端が、第１易破断部６の円弧面６２及び第２易破断部７の円弧面７２と滑らかにそれぞれ連なっている。また、上記剥離シート片５の粘着剤層４に貼着された内表面から円弧面６２の頂部までの距離と、該内表面から上記平坦部８までの距離とは等しくなっており、この距離が該剥離シート片５の厚さｔ３となっている。
【００２５】
ここで、上記剥離シート片５は、粘着剤に対する易剥離性と上記易破断部６，７における易破断性とを兼ね備えた材料によって一体に形成されているものであればよいが、好ましくは、シリコーン樹脂によって一体成型されている。このシリコーン樹脂は、硬度がより高いものである程、上記破断性に優れているため好ましく、その厚さｔ３は０．５〜０．６ｍｍ程度であることが望ましいが、特にそれに限定されるものではない。また、上記第１易破断部６のピッチｐは１．０ｍｍ程度、上記第１易破断部６の深さｄ１は上記剥離シート片５の厚さｔ３の６５〜７０％程度、上記第２易破断部７の深さｄ２は上記剥離シート片５の厚さｔ３の８５〜９０％程度、第１易破断部６における平坦な溝底６１の幅ｅは上記ピッチｐの８％〜１０％程度、第２易破断部７の溝底７１の角度は４０度前後であることが望ましいが、特にそれに限定されるものではない。
【００２６】
以下に、本発明に係る化粧用瞼整形テープとしての上記二重瞼形成用テープ１を使用した二重瞼の形成方法を、図７〜図１３に基づいて説明する。なお、ここでは、中心Ｏよりも第１端１ａ側において第１破断部６を破断する例を示すこととする。
まず、図示は省略するが、二重にする上瞼９０の油分等を拭き取った上で、プッシャー等を使用して二重瞼のひだ９２を形成する位置を確認する。次いで、図７に示すように、二重瞼形成用テープ１における剥離シート片５を破断したい位置にある第１易破断部６近傍の両側を、一対の剥離シート片５，５の上から指先で摘まんで引張ることにより、該第１易破断部６で剥離シート片５を破断させる。
【００２７】
このとき、図７に示すように、第２易破断部７で剥離シート片５が破断してしまうのを防止するため、第２易破断部７を指先で押さえることが望ましく、その際、第２易破断部７の両側には平坦部８が目印となる。また、破断したい位置においてできるだけ正確に破断させるため、破断したい位置にある第１易破断部６から両指先までの距離はできるだけ均等で短いことが望ましい。
このようにして剥離シート片５を破断させると、指先間では、テープ状部材２の粘着剤層４から剥離シート片５が剥離すると共に該テープ状部材２が伸ばされて一部露出し、通常、それに伴って当該部分の基材片３も塑性領域に移行されて延伸された状態となるが、弾性領域が広い場合には、当該部分の基材片３が延伸されるようにテープ状部材２を十分に伸長させることが望ましい。
【００２８】
次に、テープ状部材２の両端部を、上記第１易破断部６で破断した各剥離シート片５の上から指先で把持する。そのとき、第１端１ａ及び第２端１ｂからの把持長さは、図８に示すように、ほぼ同じであることが望ましい。その際、上記第１易破断部６の列は、剥離シート片５を把持する指先の滑り止めとしても機能する。
そして、図８に示すように、このテープ状部材２における両指先間に挟まれた部分を、少なくとも二重瞼を形成するのに必要な長さまで伸長させていくと、上記基材片３は軸ｌ方向に沿って均一な幅を有しているため、通常、破断された上記第１易破断部６の位置近傍から軸ｌ方向に徐々に該基材片３の延伸が伝搬されていく。そのとき、上記接着剤層４も基材片３の延伸の進行に伴って徐々に薄くなっていくが、破断させた第１易破断部６からの距離が大きい第２端１ｂ側ほど延伸の伝搬及び進行が遅くなる。その結果、第２端１ｂ側における延伸率がより小さい部分においては、粘着剤層４がより厚く残った状態となり、より優れた接着性が確保される。
【００２９】
その一方で、破断させた易破断部の近傍から第１端１ａ側及び第２端１ｂ側の一定の範囲では、基材片３が十分に延伸されて、その延伸後の弾性的伸縮性が十分に確保される。
なお、剥離シート片５の粘着剤層４に対する剥離性と基材片３の延伸性との関係を適切に調整することによって、第１易破断部６を単に破断して、図８に示すように、テープ状部材２を必要な長さに伸長させるだけで、上述のような優れた接着性と十分な弾性的伸縮性を確保することも可能である。
【００３０】
続いて、このようにして必要な長さまで伸長させたテープ状部材２を、引張ってピンと張ったままの状態で、図９に示すように、上瞼９０の二重瞼のひだ９２を形成したい位置（ライン）に対して押し当てることにより、粘着剤層４で上瞼９０に貼り付ける。次いで、図１０に示すように、両手をテープ１から離してテープ状部材２に加えていた引張り力と上瞼９０への押付け力を除荷する。そうすると、図１１に示すように、上記基材片３の延伸後の弾性的収縮力が上瞼９０に作用して該テープ状部材２（すなわち基材片３）が上瞼９０にくい込んだ状態となり該上瞼９０にくびれ部９１が形成される。
【００３１】
このとき、上述のように、テープ状部材２における目尻側に配した部分、すなわち第２端１ｂ側における延伸率がより小さい部分は、粘着剤層４がより厚く残されているため、より優れた接着性を確保することができ、より確実に上瞼９０の皮膚に対して貼着させることが可能となる。したがって、基材片３が弾性的に収縮する際に、テープ状部材２と上瞼９０の皮膚との間で滑りが発生するのを抑制することができ、その結果、上瞼９０に該テープ状部材２の実際の収縮量に応じたくびれ、すなわち、疑似的な二重瞼のひだ９２を形成するのに必要な深さのくびれ部９１を、より確実に形成することが可能となる。
【００３２】
なお、このようにして、テープ状部材２の基材片３の延伸後の弾性的収縮性により、上瞼９０にくびれ部９１が形成された状態においては、該テープ状部材２が、図１１に示すように、くびれ部９１の底部に貼り付いた状態となっている。
そして、図１２及び図１３に示すように上瞼９０を引き上げて目を開けると、上記くびれ部９１で上瞼１０が自然に折り返されて二重瞼のひだ９２が形成される。
なお、上瞼９０に貼り付けたテープ状部材２のうち不必要な余剰部分は、ハサミやカッター等により適当な位置（図１２中×で示した位置）で切り取ればよい。この後、図示しないプッシャー等で二重瞼の形を整えてもよい。
【００３３】
さらに、上記二重形成用テープ１は、特許第３２７７１８０号公報等に開示された二重瞼形成用テープのように、中央Ｏで剥離シート片５，５を破断させて使用することも可能である。その場合、図１４に示すように、指先間にテープ１の中央Ｏを位置させて必要な間隔をあけた状態で、該テープ１の両端１ａ，１ｂ部を把持して、該テープ１を両軸ｌ方向へと引張ると、中央Ｏの第２易破断部７で剥離シート片５，５が破断する。このとき、第２易破断部７は、第１易破断部６よりも深い溝状を成しており、しかもその溝底７１がほぼ鋭角に形成されているため、該第１易破断部よりも破断し易い構成を有している。したがって、テープ１を両軸ｌ方向に引張ったときに、第２易破断部７を第１易破断部６に優先して破断させることができる。また、上述のように、第２易破断部７の両側には平坦部８，８が形成されているため、テープ１の把持や操作にあたり該平坦部８，８を目印として第２易破断部７の位置を目視で容易に確認することができる。
【００３４】
そして、図１５に示すように、そのままテープ状部材２を必要な長さまで伸長させることにより、基材片３をほぼ中央Ｏに対して左右均等（すなわち、左右対称）に塑性領域にまで延伸させることができる。すなわち、テープ状部材２必要な長さまで伸長させたときに。粘着剤層４の厚さもほぼ左右均等（すなわち、左右対称）なものとすることができる。
したがって、このように第２易破断部７で剥離シート５を破断させて使用する場合には、テープ状部材２の第１端１ａ側及び第２端１ｂ側において、瞼の皮膚に対するバランスの良い接着性と延伸後の弾性的伸縮性を確保することができる。
なお、図１５よりも後の操作は、第１易破断部６で破断させた場合（図９−図１３）と実質的に同じであるから、重複説明を避けるためここでは説明を省略する。
【００３５】
このように、本発明に係る化粧用瞼整形テープとしての二重瞼形成用テープ１は、剥離シート片５に上記第１易破断部６及び第２易破断部７が形成されているため、上述のように、目頭側や目尻側におけるテープ状部材２の接着性を改善したりテープ状部材２の伸長時における指先の滑りを防止したりすることができるばかりでなく、剥離シート片５の破断位置やテープ状部材の伸長長さの調節により、軸ｌ方向において基材片３の延伸率を変化させて（すなわち、軸ｌ方向において延伸後の弾性的収縮性を変化させて）、個々の瞼９０の状態や二重瞼の出来具合の好みに対応させることが可能となる。さらに、これら易破断部６，７をテープ１のデザインの一部として取り入れることにより、該テープ１のデザイン性をも向上させることができる。
【００３６】
図１６は、上記二重瞼形成用テープ１の他の使用方法を示している。この使用方法では、まず、該テープ１を中央Оにおいて分断、すなわち、上記第２易破断部７で剥離シート片５，５を破断させると共に同位置で上記テープ状部材２を切断することにより、第１テープ１１と第２テープ１２とに分割する。その際、第２易破断部７は第１易破断部６に比べて容易に破断することができるため、この第２易破断部７の両側近傍を摘まんで強めに両軸ｌ方向に引張る等すれば、容易に第１テープ１１と第２テープ１２とに分断することができる。
次に、それぞれのテープ１１，１２の剥離シート片を適宜箇所の第１易破断部６で破断させると共にそれぞれのテープ状部材２を伸長させて、それぞれの基材片３を塑性領域まで延伸させる。そして、これらテープ１１，１２を上述した図９−図１３の方法で、例えば、左右の上瞼９０にそれぞれ適用することにより、１本の二重瞼形成用テープ１で左右の上瞼９０に二重瞼を形成することが可能となる。
【００３７】
続いて、このような二重瞼形成用テープ１、すなわち本発明に係る化粧用瞼整形テープの製造方法について、図１７−図２０を用いて説明する。
まず、上記基材片３を形成するための基材フィルム（例えば、低密度ポリエチレンフィルム）３０の表裏面全体に、上記粘着剤層４，４を形成して成る両面粘着シート２０を準備する（図１８）。
【００３８】
その一方で、図１７に示すように、硬度の高いシリコーン樹脂を熱成型することにより、上記剥離シート片５を形成するための厚さｔ３の剥離シート５０を作成する。その際、上記粘着剤層４に貼着するための内表面を鏡面に形成すると共に、それと反対側の外表面を粗面に形成し、また、それと同時に、該外表面に、上記第１易破断部６及び第２易破断部７並びに平坦部８を互いに平行を成すようにＹ方向に沿って形成する。このとき、Ｘ方向において複数本の剥離シート片５を取得することができるように、上記第２易破断部７とその両側に位置する一対の平坦部８，８との組合せを、該Ｘ方向に上記二重瞼形成用テープの長さＬと同じ間隔で複数本配置すると共に、この組合せの間に上記第１易破断部６を等ピッチｐで全体に亘って配置する。このように、剥離シート５０を一体成型する際に上記第１及び第２易破断部６，７も同時に形成するため、複数の易破断部６，７を製造工程を煩雑化させることなく剥離シート５０に形成することができる。
【００３９】
そして、図１８に示すように、２枚の剥離シート５０，５０と両面粘着シート２０とを、各剥離シート５０の平坦な内表面を両面粘着シート２０の各粘着剤層４にそれぞれ対向させて、相互に貼着させることにより、図１９に示す積層シート１０を作成する。このとき、２枚の剥離シート５０，５０の各易破断部６，７は互いに平行を成して対向配置されている。
なお、上記基材フィルム３０がポリオレフィン樹脂フィルムである場合には、当該フィルムを、その製造時における送り方向と直角を成す幅方向について、無延伸か又は極めて低延伸倍率のものとし、そのフィルムの幅方向が上記剥離シート５０の各易破断部６，７と直角を成すように（Ｘ方向と一致するように）、上記剥離シート５０，５０と両面粘着シート２０とを貼り合わせることが望ましい。
【００４０】
続いて、図１９に示すように、上記積層シート１０を、Ｘ方向において互いに隣接する第２易破断部７，７間の中央で、該易破断部７と平行（すなわち、Ｙ方向に沿って）に裁断することにより、図２０に示すような細長い短冊状積層シート１０ａを形成する。そして、図２０に示すように、該短冊状積層シート１０ａを、上記各易破断部６，７と直角方向に延びる切断刃（図示略）で等間隔Ｗに裁断する。その結果、上記第２易破断部７が長手方向（軸ｌ方向）の中央に設けられた上記二重瞼形成用テープ１を得ることができる。
【００４１】
なお、上記剥離シート片５の形態は、必ずしも上述したものに限定されず、例えば、図２１に示すように、中央の第２易破断部７の両側に平坦部８を設けることなく、互いに隣接する第１及び第２易破断部６，７の溝底６１，７１同士を全て上記円弧面６２，７２で連結してもよい。また、第１易破断部６は中央Ｏよりも第１端１ａ側又は第２端１ｂ側の何れか一方に設けてもよい。また、第２易破断部７は必ずしも設ける必要性はなく、第１易破断部６の数やピッチｐも特に上記実施形態のものに限定されない。そして、各易破断部６，７の形態も、平坦な側壁を有する断面Ｖ字状（Ｖ字ノッチ）に形成してもよい。
【００４２】
さらに、以上においては、本発明に係る化粧用瞼整形テープの一実施形態について、二重瞼形成用テープ１を例に挙げて説明してきたが、例えば、下瞼に膨らみ（所謂、涙袋）を形成するための下瞼用テープに対しても本発明を適用することができる、その場合には、上述した二重瞼を形成する場合と同様に、上記テープ状部材２を上記基材片３が延伸される所定長さに伸長させたままの状態で下瞼に貼り付けると、該基材片３の延伸後の弾性的収縮性により該テープ状部材２が下瞼にくい込んだ状態となって、そこに該テープ状部材２に沿ったくびれ部が形成される。そうすると、その下瞼に形成されたくびれ部の上方に膨らみ（涙袋）が形成されて、目元に立体感をもたせることができる。なお、本発明をこのような下瞼用テープに適用する場合には、テープの長さＬを上記二重瞼形成用テープ１よりも短くしてもよい。その他の点については、基本的には、上述した二重瞼形成用テープ１の場合と同様であるから、重複を避けるため説明を省略する。
【００４３】
以上、本発明の実施形態について詳細に説明してきたが、本発明はそれらに限定されるものではなく、本発明の要旨から逸脱しない範囲において、様々な設計変更ができることは言うまでもない。例えば、上記基材片３の延伸操作や延伸後の弾性的伸縮性を阻害しない範囲において、該基材片３に他の基材片（例えば、ポリウレタン樹脂フィルム）を積層してテープ状部材２を形成してもよい。
【符号の説明】
【００４４】
１            化粧用瞼整形テープ（二重瞼形成用テープ）
１ａ          第１端
１ｂ          第２端
２            テープ状部材
３            基材片
４            粘着剤層
５            剥離シート片
６            第１易破断部
７            第２易破断部
８            平坦部
１０          積層シート
１０ａ        短冊状積層シート
１１          第１テープ
１２          第２テープ
２０          両面粘着シート
３０          基材フィルム
５０          剥離シート
６１，７１    溝底
６２，７２    円弧面
９０          上瞼
９１          くびれ部
９２          二重瞼のひだ
ｄ１          第１易破断部６の深さ
ｄ２          第２易破断部７の深さ
ｅ            溝底６１の幅
ｌ            軸
Ｌ            長さ
Ｏ            中央
ｐ            第１易破断部６のピッチ
ｔ１          基材片３の厚さ
ｔ２          粘着剤層４の厚さ
ｔ３          剥離シート片５の厚さ
Ｗ            幅
【図１】
2018027187.tif 000003
【図２】
2018027187.tif 000004
【図３】
2018027187.tif 000005
【図４】
2018027187.tif 000006
【図５】
2018027187.tif 000007
【図６】
2018027187.tif 000008
【図７】
2018027187.tif 000009
【図８】
2018027187.tif 000010
【図９】
2018027187.tif 000011
【図１０】
2018027187.tif 000012
【図１１】
2018027187.tif 000013
【図１２】
2018027187.tif 000014
【図１３】
2018027187.tif 000015
【図１４】
2018027187.tif 000016
【図１５】
2018027187.tif 000017
【図１６】
2018027187.tif 000018
【図１７】
2018027187.tif 000019
【図１８】
2018027187.tif 000020
【図１９】
2018027187.tif 000021
【図２０】
2018027187.tif 000022
【図２１】
2018027187.tif 000023